(57)【要約】【課題】  システム内におけるカードの取扱を効率化することにより、１人の顧客が占有する時間を短縮して、待ち時間の減少化を図ったカード処理装置を提供すること。【解決手段】  第１貯留手段１０へのカード貯留が完了すれば、第２貯留手段１６からのカード繰り出しが完了していなくとも、第１貯留手段１０から積層貯留されたカードＰを一括移送手段１１により積層状態のまま一括移送するので、第２貯留手段１６からのカード繰り出し完了を待つことなく、次の顧客に対するカード受入れが可能となり、待ち時間を減少させることができる。【選択図】図２
2006189955.tif 000002
【特許請求の範囲】
【請求項１】
１枚ずつ搬送されてきたカードを積層貯留する第１貯留手段と、
この第１貯留手段に積層貯留されたカードを積層状態のまま一括移送する一括移送手段と、
前記第１貯留手段に隣接され前記一括移送手段により移送されてくる積層状態のカードを受け入れて積層状態に貯留する上下動可能に構成されたフロアを有し、このフロア上に積層貯留されたカードを下端部から１枚ずつ繰り出す第２貯留手段と、
この第２貯留手段のフロアを上昇駆動し、このフロア上に積層貯留されたカードの上端面位置が所定高さになると上昇駆動を停止するフロア駆動手段と、
を備えたことを特徴とするカード処理装置。
【請求項２】
フロア駆動手段は、第１貯留手段へのカード貯留完了を条件に作動し、
一括移送手段は、フロア上に貯留されその上端面位置が所定高さとなったカード上に積層状態のカードを一括移送する
ことを特徴とする請求項1に記載のカード処理装置。
【請求項３】
フロアは、一括移送手段による移送方向に対し、移送方向後方が高くなるように所定の傾斜角度に設定されている
ことを特徴とする請求項1または請求項２に記載のカード処理装置。
【発明の詳細な説明】
【技術分野】
【０００１】
本発明は、１枚ずつ搬送されてくる所定の情報を保持したカードを積層状態で受入れ、この積層状態のカードを１枚ずつ繰り出す機能を有するカード処理装置に関する。
【背景技術】
【０００２】
近年、磁気情報やＩＣチップ情報などを内蔵したプラスチック製のカードが、個人情報媒体や経済価値媒体として多用されている。この種のカードは国際標準化されており、一般には厚さ０．７６ｍｍの塩ビカードが用いられている。このようなカードは、通常の外力では曲がり難い剛媒体と考えられる。したがって、カード処理機は、カードを変形させることなく直線に搬送するようにしている。
【０００３】
ここで、ＡＴＭのカードリーダのように、カードに対して、単純に磁気情報をリード・ライトする程度の装置であれば、その搬送を直線としてもその距離は長くならない（例えば、特許文献１参照）。
【０００４】
しかしながら、カード発行機のように、カードに対し、１枚ずつの繰り出し、印刷、エンボス、情報リード・ライト、分類集積など、複数の機能を施さなければならない場合、カードを直線搬送すると、装置の長さが数メートルから１０数メートル程度と長大になってしまう。
【０００５】
このように長大となっても、業務用の処理システムであれば、長大なスペースさえ確保できれば実現可能である。しかし、顧客が使用する対面型の装置では、装置の大きさや奥行きに自ずから制約があり、直線搬送だけでは処理ができなかった。
【０００６】
そこで、直線搬送だけでなく、カードをスイッチバック機構等の手段によって方向変換して屈曲搬送を行うことにより、カードに変形を生じることなく、狭いスペースに長い搬送路を収容することが本件出願人により提案されている。
【特許文献１】特開平１０−４０４４１号公報
【発明の開示】
【発明が解決しようとする課題】
【０００７】
ところで、カードは前述のように各種分野で用いられているが、近年、同一サイズの媒体カードにそれぞれ異なる貴金属などの埋め込みを施したり、カード表面に絵画デザインを表記してそれら貴金属や絵画デザインの価値情報を記録して取り扱うシステムが考えられている。例えば、顧客が保有する各種価値情報を記録したカードを多数受入れ、このカードを一枚ずつ搬送して価値情報を読取り、この読み取り結果に対する顧客の確認を得てからカードを収納するシステムが考えられている。
【０００８】
このようなシステムでは、顧客が上記システムに投入した多数のカードに対して価値情報の確認及び収納動作が行なわれる。カードの投入枚数にもよるが、１人の顧客が投入したカードの処理にかなりの時間を要する。通常、この種のシステムでは、利用顧客に対するシステム数の設置数は少なく、一つのシステムを複数の顧客が使用しなければならない場合が多い。このため、待ち時間を短くするためには１人の顧客がシステムを占有する時間をできるだけ短くする必要がある。
【０００９】
本発明の目的は、システム内におけるカードの取扱を効率化することにより、１人の顧客が占有する時間を短縮して、待ち時間の減少化を図ったカード処理装置を提供することにある。
【課題を解決するための手段】
【００１０】
本発明のカード処理装置は、１枚ずつ搬送されてきたカードを積層貯留する第１貯留手段と、この第１貯留手段に積層貯留されたカードを積層状態のまま一括移送する一括移送手段と、前記第１貯留手段に隣接され前記一括移送手段により移送されてくる積層状態のカードを受け入れて積層状態に貯留する上下動可能に構成されたフロアを有し、このフロア上に積層貯留されたカードを下端部から１枚ずつ繰り出す第２保留手段と、この第２貯留手段のフロアを上昇駆動し、このフロア上に積層貯留されたカードの上端面位置が所定高さになると上昇駆動を停止するフロア駆動手段とを備えたことを特徴とする。
【００１１】
また、本発明では、フロア駆動手段は、第１貯留手段へのカード貯留完了を条件に作動し、一括移送手段は、前記フロア上に貯留されその上端面位置が所定高さとなったカード上に積層状態のカードを移送する。
【００１２】
さらに、本発明では、フロアは、一括移送手段による移送方向に対し、移送方向後方が高くなるように所定の傾斜角度に設定されている。
【発明の効果】
【００１３】
本発明によれば、第１貯留手段へのカード貯留が完了すれば、第２貯留手段からのカード繰り出しが完了していなくとも、第１貯留手段に積層貯留されたカードを第２貯留手段に一括移送できるので、第２貯留手段からのカード繰り出し完了を待つことなく、次の顧客に対するカード受入れが可能となり、待ち時間を減少させることができる。
【発明を実施するための最良の形態】
【００１４】
以下、本発明によるカード処理装置の一実施の形態について、図面を用いて詳細に説明する。
【００１５】
図１は、この実施の形態の全体構成を示している。図１において、１は装置の外郭をなす筐体で、その内部には、それぞれ破線で囲まれた第１処理部２と第２処理部３とが構成されている。
【００１６】
第１処理部２は、入口部４、第１搬送手段７、第１情報読取手段８、第１貯留手段１０により概略構成される。入口部４は筐体１の前面（図示左側面）に配置され、常時閉の扉４ａを有する。そして、この扉４ａの開放時、所定の情報を保持した複数枚のカードＰを積層状態で受け入れる。受け入れられたカードＰは、バックアップ板５により下方に押し付けられ、ピッカー６により、１枚ずつ後方の第１搬送手段７へ繰り出される。
【００１７】
第１搬送手段７は、上下一対のローラ７ａを複数対、直線上に配置したもので、これら一対のローラ７ａの回転により、ピッカー６によって１枚ずつ繰り出されたカードＰを、装置の後方（右方）に向ってほぼ水平方向に直線搬送する。また、この第１搬送手段７には第１情報読取手段（例えば、磁気カードリーダ）８が設けられており、内蔵された磁気ヘッド９により、搬送途中のカードＰから保持情報を読み取る。
【００１８】
第１貯留手段１０は、第１搬送手段７の搬送終端部（図示右端部）に設けられ、搬送されてきたカードＰを積層貯留する。この第１貯留手段１０は、積層貯留されたカードを積層状態のまま一括して次段に移送する一括移送手段（以下、スイーパ機構と呼ぶ）１１を備えている。
【００１９】
前記第１搬送手段７は、カードＰの搬送方向を逆方向にする逆搬送機能を有する。また、第１貯留手段１０は積層貯留されたカードを１枚ずつ逆搬送状態の第１搬送手段７に繰り出す返却手段１２を有する。
【００２０】
また、この第１搬送手段７の前方寄り（図示左方寄り）の部分には、逆方向に搬送されたカードを搬送路上から取り出すリジェクト手段１３が設けられている。このリジェクト手段１３により搬送路上から取り出されたカードＰは、返却搬送路１４を通って、筐体１の前面に設けられた返却口１５に送られる。
【００２１】
第２処理部３は、第２貯留手段１６、第２搬送手段１８、第２情報読取手段２１、スイッチバック機構２２、第３搬送手段２４、複数のカード収納手段２６を有する。
【００２２】
第２貯留手段１６は、前記第１貯留手段１０に隣接されており、この第１貯留手段１０から、スイーパ機構１１により一括移送されてくる積層状態のカードＰを受け入れ、このカードＰをピッカー１７により１枚ずつ繰り出す。
【００２３】
第２搬送手段１８は、第２貯留手段１６から、筐体１の前方（図示左方）に向って、所定の傾斜角度を保って下向きに形成された直線上に、上下一対のローラを複数対配置して構成される。この第２搬送手段１８は、各一対のローラの回転により、第２保留手段１６から繰り出されたカードＰを前方に向って所定の傾斜角度で直線搬送する。
【００２４】
また、この第２搬送手段１８にも、磁気カードリーダなどによる第２情報読取手段２１が設けられており、内蔵された磁気ヘッドにより、搬送途中のカードＰから保持情報を読み取る。さらに、この第２搬送手段１８は、カードの搬送方向を逆方向にする逆搬送機能を有し、かつ、逆方向に搬送されたカードＰを搬送路上から取り出すリジェクト手段１９を有する。このジェクト手段１９でリジェクトされたカードＰはリジェクト箱２０内に貯留される。
【００２５】
スイッチバック機構２２は、第２搬送手段１８の搬送終端部に設けられた回動アーム２３を有し、第２搬送手段１８によって搬送されてきたカードＰの上面を叩き、このカードＰを第３搬送手段２４上に載置させる。この第３搬送手段２４は、筐体１内の前面側（図示左方）から後方(図示右方)に向うほぼ水平な直線上に、上下一対のローラを複数対配置したもので、スイッチバック機構２２の回動アーム２３により載置され、搬送方向が変向されたカードＰを、後方に向ってほぼ水平に搬送する。
【００２６】
カード収納手段２６は第３搬送手段２４に沿って複数個（図の例では５個）設けられ、この第３搬送手段２４により搬送されてくるカードＰを、第２の情報読取手段２１による読取結果に基づいてゲート板２５により搬送路から取り出し、積層集積する。
【００２７】
次に、図２により、本発明の特徴部分である、第１貯留手段１０と、この第１貯留手段１０に積層貯留されたカードＰを一括して移送するスイーパ機構１１と、第１貯留手段１０から一括移送されてくる積層状態のカードを受け入れる第２貯留手段１６との関係を説明する。
【００２８】
図２において、第１貯留手段１０は、第１搬送手段７の搬送終端部に構成されており、カードＰの長さ方向に対応する間隔で対向配置された縦向きの固定ガイド体５１と、上部を支点とした可動ガイド板５２とを有する。搬送されてきたカードＰは、図示斜め方向に設置した板ばね５３により上記ガイド板５１，５２間に払い落とされ、水平方向の状態を保って順次積層貯留される。前記可動ガイド板５２は、ばね５４により常時垂直状態に立設しており、図示右方への押圧力を受けることにより、ばね５４に抗して、上端を支点として図示左回りに回動する。
【００２９】
また、底面板５５は、上向きのバックアップ板として機能するものであり、ガイドロッド５６により上下動可能に支持され、かつ、ばね５７により常時上昇方向の力を受けている。この上向きのバックアップ板５５の図示左端上面は、モータ５８により回動駆動されるアーム５９の先端と係合しており、モータ５８により図示底面位値に位置決めされている。
【００３０】
スイーパ機構１１は、モータ６０により回転駆動されるリードスクリュー６１に螺合し、左右方向に移動可能な押圧体６４を有する。この押圧体６４は、モータ６０の運転によりリードスクリューを介して図示右方に移動することにより、固定ガイド体５１と可動ガイド板５２との間に積層された複数のカードＰを、積層状態のまま一括して図示右方に押圧し、第２貯留手段１６内に移送する。
【００３１】
また、第１貯留手段１０には、内部に積層された複数のカードＰを、逆搬送状態の第１搬送手段７に１枚ずつ繰り出して返却させる返却手段１２が設けられている。この返却手段１２はカード繰り出し用の爪部分１２ａを有し、モータ６２により回転駆動されるリードスクリュー６３と螺合して図示左右方向へ往復動作する。この爪部分１２ａは、図示左方への移動時、上向きのバックアップ板５５により押し上げられた、最上部に位置するカードＰの後縁部（図示右辺）と係合し、このカード１枚を逆搬送状態の第１搬送手段７に繰り出す。
【００３２】
第２貯留手段１６は、第１貯留手段１０に隣接されており、その底部には上下動可能に構成されたフロア３１を有する。このフロア３１は、スイーパ機構１１による移送方向に対し、その移送方向後方（図示右方）が高くなるように所定の傾斜角度に設定されており、スイーパ機構１１により一括移送されてくる積層状態のカードを受け入れて積層状態に貯留する。
【００３３】
この第２貯留手段１６は、第２搬送手段１８の搬送開始点となるもので、この第２搬送手段１８の搬送角度（図の例では下向き約１５度）と同じ角度（前記フロア３１の傾斜角度とも同じ角度である）の底面板６５を有する。そして、その上方に間隔を保って立設されたガイド板６６，６７間に、第１保留部１０から一括して移送された複数のカードＰを、前記フロア３１上に積層貯留させる。なお、一方のガイド板６６の上半部はほぼ直角に折り曲げられ、前記第１保留部１０の底面の一部をかねており、前記一括移送時における積層されたカードＰの底面ガイドとなる。
【００３４】
また、第２貯留手段１６は、ピッカー１７及びバックアップ板６８を有する。ピッカー１７は、底面板６５及びフロア３１に設けた図示しないスリット内に移動可能に設けられている。このピッカー１７は、モータ６９により回転駆動されるリードスクリュー７０と螺合しており、図示左右方向に往復動作する。そして、図示左方への移動時、最下部に位置するカードＰの後縁部（図示右辺）と係合し、このカード１枚を第２搬送手段１８に繰り出す。
【００３５】
バックアップ板６８は傾斜した押圧面を有し、ガイドロッド７１により上下動可能に支持されており、ばね７２ａにより常時下向きの力を受けている。また、このバックアップ板６８の後端部（図示右端部）下面は、モータ７３により回動駆動されるアーム７４の先端と係合している。
【００３６】
前記フロア３１も、このガイドロッド７１により上下動可能に支持されている。また、このフロア３１の図示右端部分には、バックアップ板６８との連結体３１ａが上方に向って一体に設けられており、その上端の係合部３１ｂはバックアップ板６８の前記後端部と分離可能に係合している。したがって、フロア３１は、バックアップ板６８の上昇に伴って、ばね７２ｂによる下向きの力に抗して上昇動作する。
【００３７】
３３はレベルセンサで、フロア３１の上面またはこのフロア３１上に積層されたカードＰの上端面が、一括搬送に適した所定高さに上昇したかを検出する。すなわち、フロア３１及びバックアップ板６８は、モータ７３により回動駆動されるアーム７４により上昇駆動されるが、レベルセンサ３３によりフロア３１の上面またはこのフロア３１上に積層されたカードＰの上端面が、一括搬送に適した所定高さに上昇したことを検出すると、モータ７３は停止制御され、フロア３１の上昇を停止する。したがって、モータ７３及びアーム７４はフロア３１を上昇させるフロア駆動手段としても機能する。
【００３８】
ここで、第２貯留手段１６のカード貯留量は、第１貯留手段１０のカード貯留量より多く設定する。例えば、第１貯留手段１０のカード貯留量の２〜３倍程度にするとよい。
【００３９】
次に、全体的な動作を説明する。複数種類のカード、例えば、カードに搭載した貴金属などの種類や量により５００，１０００，２０００，５０００，１００００円の５種の額面のカードが有る場合、これらカードをランダムに多数有する使用者は、この多数のカードＰを、入口部４に投入する。例えば、この入口部４は、積層状態のカードＰを５０枚一括受け入れできるものとする。
【００４０】
使用者は、筐体前面の図示しない操作部を操作して入口部４の扉４ａを開け、積層状態のカードＰを一括投入する。一括投入後、バックアップ板５が下降し、積層されたカードＰの上面を押圧する。このとき、図示しないセンサによりバックアップ板５の高さを検出し、積層されたカードの枚数が５０枚以下か否かを判定する。その結果、５０枚以上であれば、筐体表面の図示しない表示部に、枚数を減らして再投入するようにガイダンスを行う。また、投入されたカードの不ぞろいや、長すぎなどの検知手段も設け、これらが検知動作した場合も、カードを再投入するように促すガイダンスを表示し、以後の繰り出しは行わない。
【００４１】
上記条件をクリアした場合は、ピッカー６が作動し、積層状態のカードを最下端のものから１枚ずつ第１搬送手段７に繰り出す。第１搬送手段７は、図示しないモータによって上下一対のローラ７ａを回転駆動するもので、入口部４から繰り出されたカードＰを、装置後方に向って伸延した水平搬送路上にて往復搬送可能である。この第１搬送手段７は、通常は正転搬送を行い、搬送途中に設けられたカードリーダ８により、カードＰに保持された情報を読み出す。読み出された情報が適正であったカードＰはそのまま搬送され、第１貯留手段１０内に集積される。
【００４２】
この読取結果が、読取不能や不適正情報であった場合は、第１搬送手段７のパルスモータを一端停止した後、逆転させ、逆搬送状態とする。さらにリジェクト手段１３を動作させ、ゲート板を開く（逆搬送方向に対して起立させる）ことにより、逆搬送されてくるカードを搬送路上から取り出し、返却搬送路１４を通って返却口１５に返却させる。
【００４３】
このリジェクトは、カードリーダ８による読取結果だけでなく、第１搬送手段７の搬送路に設けた各種センサにより、カードの不適正状態を検出した場合も、同様の動作によってリジェクトする。例えば、カードの２枚取りや薄すぎ（プリペードカード相当）は厚さセンサにより検出し、カードの長すぎ／短すぎは長さセンサで検出する。これらの不適正カードが検出された場合もリジェクトを行う。
【００４４】
このようにして入口部４に投入されたカードＰを１枚ずつ順次繰り出し、入口部４にカードがなくなると、図示しない残留検知センサが残留無しを検知し、ピッカー６による繰り出しを停止する。
【００４５】
前述のように、適正なカードＰはそのまま搬送され、第１貯留手段１０内に集積される。第１貯留手段１０の集積高さは固定とする。このとき、多数枚のカードを集積するため、各カードの後端に後続カードの前端が衝突して、集積が適正に行われないことが起こりがちである。しかし、第１搬送手段７の搬送終端部（集積部の上部でもある）に板ばね５３を斜めに設置し、集積されるカードＰの後端をはじき落とすことにより、前述の衝突を防止し、良好な集積状態とすることができる。
【００４６】
第１貯留手段１０へのカード集積が終了すると、集積されたカードについて、カードリーダ８が読み取った情報の内容を、筐体１前面の図示しない表示部に表示し、利用者の確認を得る。すなわち、読み取った額面金額の総額や、各種別の枚数などを表示する。この結果、例えば、利用者が意図した額面総額と読み取られた額面総額とが異なる場合など、利用者は「確認ＮＯ」のボタンを押下する。
【００４７】
「確認ＮＯ」のボタンが押下されると、第１保留部１０に集積されたすべてのカードＰを返却口１５に返却する。すなわち、第１搬送手段７を逆搬送状態にし、リジェクト手段１３のゲート板を開く。また、図２で示した上向きのバックアップ板５５を上昇させ、返却手段１２により、積層上部からカードＰを１枚ずつ、逆搬送状態の第１搬送手段７に繰り出す。このため、カードＰは開状態のゲート板により搬送路から取り出され、返却搬送路１４を通って返却口１５に返却される。このとき、カードリーダ８により、通過したカードの情報や枚数を読み取り、記憶しておく。
【００４８】
これに対し、利用者が「確認ＯＫ」のボタンを押下すると、カード貯留完了と判断され、第１貯留手段１０内に貯留されたカードを、スイーパ機構１１により積層状態のまま、第２貯留手段１６に一括移送する。
【００４９】
この場合、まず、モータ７３によりアーム７４を図示右回りに回動させ、バックアップ板６８をばね７２ａのばね力に抗して上昇させる。このバックアップ板６８が充分上昇するとフロア３１側の連結部材３１ａとその上端係合部３１ｂにおいて係合するので、フロア３１もばね７２ｂのばね力に抗して上昇する。そして、フロア３１の上面またはこの上面に積層貯留されたカードＰの上端面が、レベルセンサ３３による検出位置まで上昇するとモータ７３は停止制御され、フロア３１はレベルセンサ３３により検出された高さで停止する。
【００５０】
この状態で、前述のようにスイーパ機構１１が動作し、その押圧体６４が、第１貯留手段１０に集積されたカードＰを、積層状態のまま一括して図示右方に押し出す。このとき、前述のようにバックアップ板６８は充分高い位置に上昇しており、かつフロア３１の上面またはこの上面に積層されたカードＰの上端面はレベルセンサ３３により検出された受入れ高さにあり、しかも後方に向って上方に約１５度傾斜しているため、積層状態のカードＰはフロア３１の上面または積層されたカードＰの上端面の上に、スムーズに一括移送される。この一括移送後、モータ７３によりアーム７４を図示左回りに回動させることにより、フロア３１は、ばね７２ｂの張力により下降し、底面板６５上に載置され、積層されたカードＰは第２貯留手段１６内に集積される。また、バックアップ板６８も、ばね７２ａの張力により下降し、第２貯留手段１６内に新たに集積されたカードの上端面を下向きに押圧する。
【００５１】
この動作が終了し、第１貯留手段１０内にカードがないことが図示しない残留センサで検出されると、一連のカード受け入れ処理が終わり、次の利用者がカードを入口部４に投入できるようになる。
【００５２】
一方、第２処理部３の第２貯留手段１６内に約１５度傾斜した状態で集積されたカードは、ピッカー１７により１枚ずつ第２搬送手段１８に繰り出される。繰り出されたカードは、第２搬送手段１８により前方に向って斜め下方に搬送される。また、搬送途中において図１で示したカードリーダ２１により、保持された情報が読み出される。読み出された情報が適正であれば、さらに確認のための情報書込みを行ったり、情報を消去したりしながら、そのまま順方向に搬送される。
【００５３】
これに対し、読み取った情報が不適正であったり、読取不能の場合は、第２搬送手段１８による搬送を一旦停止後、逆搬送状態にし、リジェクト手段１９を動作させてカードをリジェクト箱２０内にリジェクトする。このリジェクト動作後、次のカードが第２貯留手段１６から繰り出される。
【００５４】
順方向に搬送された適正なカードは、スイッチバック部２２に進入し、その先端がストッパに当接するとアーム２３が下向きに回動し、カードの上面を叩いて第３搬送手段２４の開始端上に押下する。このため、カードは第３搬送手段２４により、今度は後方に向かって水平方向に搬送される。
【００５５】
第３搬送手段２４に対しては、その搬送方向に沿って複数のカード収納手段２６が設けられており、かつ、これらカード収納装置２６に対応してそれぞれゲート板２５が設けられているので、各カード収納装置２６には、該当する種類のカードが選別されて収納される。すなわち、搬送されてくるカードの種類は、カードリーダ２１により読み取られているので、そのカードの種類に該当するカード収納装置２６のゲート板２５を開いておく。このため、対応するカードは、この開いたゲート板２５により搬送路上から図示斜め右下方に取り出され、カード収納装置２６内に集積される。
【００５６】
ここで、第１貯留手段１０に隣接された第２貯留手段１６に上下動可能なフロア３１を設けて、そのカード貯留容量を第１貯留手段１０より大きくしたので、第２の貯留手段１６内に、カードＰが存在する状態であっても、その上端面がレベルセンサ３３の検出位置より高くなっていなければ、第１貯留手段１０にて貯留が完了したカードＰを第２貯留手段１６側に直ちに一括移送することができる。
【００５７】
前述のように、第２貯留手段１６に一括移送されたカードＰは、直ちにピッカー１７により１枚ずつ繰り出され、次の収納工程が行われるが、第２貯留手段１６から繰り出されるカードＰの枚数が多いと、この第２貯留手段１６から繰り出し動作に時間がかかり、なかなか終わらない。これに対し、次の利用者が投入したカードの枚数が少ないと、第１貯留手段１０での貯留が完了する（利用者による「確認ＯＫ」操作が行なわれる）までの時間は短くなり、第２貯留手段１６からの繰り出し動作が終わらない状態で、次の利用者が投入したカードＰの第１貯留手段１０での貯留が完了してしまうことがある。
【００５８】
このような場合、第１貯留手段１０と第２貯留手段１６のカード貯留容量に差がないと、第２貯留手段１６によるカード繰り出しが完了して、第２貯留手段１６内にカードが無くならなければ、第１の貯留手段１０に貯留された次の利用者のカードＰを第２貯留手段１６へ一括移送することができなかった。すなわち、次の利用者が投入したカードに対する第１貯留手段１０への貯留が完了していても、第２の貯留手段１６からのカード繰り出しが完了していなければ、第１の貯留手段１０への貯留が完了したカードＰを移送することができない。したがって、さらに次の利用者が新たにカードを投入することができず、待ち時間が生じる。
【００５９】
これに対し、前述のように第２貯留手段１６に上下動可能なフロア３１を設けて、そのカード貯留容量を第１貯留手段１０より大きくすると、第２の貯留手段１６からのカード繰り出しが完了していなくても、第１貯留手段１０にて貯留が完了したカードＰを直ちに第２貯留手段１６側に一括移送することができる。このため、さらに次の利用者は、直ちに新たなカードを投入することができ、待ち時間が生じることはない。
【００６０】
このように、システム内におけるカードＰの取扱を効率化することにより、１人の顧客（利用者）が占有する時間を短縮することができ、待ち時間を減少させることができる。
【００６１】
上記実施の形態では、フロア３１を、バックアップ板６８と関連させてモータ７３により回動駆動されるアーム７４により上下動させているが、モータ７３及びアーム７４以外の公知の上下駆動機構を用いてもよい。また、フロア３１とバックアップ板６８とを関連させずにそれぞれ独立して上下動させてもよい。すなわち、バックアップ板６８は積層されたカードＰの繰り出し時に、繰り出し対象のカードＰが浮き上がって繰り出しが失敗することを防止するものであり、積層枚数が多く、積層されたカードの重量によりカードＰの浮き上がりを防止できれば、バックアップ板６８を下降させてカードＰの上面を押し付ける必要はない。したがって、積層枚数が少ないときのみバックアップ板６８を下降させて、カードＰの上面を押し付けるようにしてもよい。この場合、バックアップ板６８を上述のように独立して上下動できる構成にすればよい。
【００６２】
また、上記実施の形態では、カードの種類が多く、カード収納手段２６を多数（５個）必要としたため、処理搬送路を、第３搬送手段２４を含むＺ字状としたが、カードの種類が少なく、カード収納手段２６が少数（例えば、１または２個）であれば、第３の搬送手段２４を設けずに、第２の搬送手段１８の終端部に、ゲート板２５と対応するカード収納手段２６を設けてもよい。
【００６３】
このように構成すれば、第３の搬送手段２４及びスイッチバック機構２２が不要となり、装置構成を簡素化できる。
【図面の簡単な説明】
【００６４】
【図１】本発明によるカード処理装置の一実施の形態の内部構成を示す側面図である。
【図２】同上一実施の形態の要部構成を示す拡大図である。
【符号の説明】
【００６５】
Ｐ    カード
１０    第１貯留手段
１１    一括移送手段
１６    第２貯留手段
３１    フロア
７３，７４    フロア駆動手段を兼ねるモータ及びアーム
【図１】
2006189955.tif 000003
【図２】
2006189955.tif 000004